(57)【要約】      （修正有）【課題】ロールペーパーをケース体内に簡単に収納でき、所定の引き出し部位で簡単に切断することができ、次に使用するときのロールペーパーの端部を容易につかむことができるロールペーパーホルダーを提供する。【解決手段】ロールペーパーを投入口３より投入して内部に収納することができるケース体６と、このケース体に形成された内部に収納されたロールペーパーの先端部を外部へ引き出す引き出口７と、この引き出口側の外側面のケース体あるいは該引き出口の端部のケース体に背面に滑り材が位置するように取付けられる。さらに、所定量引き出されたロールペーパーを切断するために、下方あるいは上方へ回動させた場合に、該ロールペーパーの回転を阻止する摩擦材８と、この摩擦材でロールペーパーの回転を阻止した状態で引き出されたロールペーパーを切断できるように、ケース体に取付けられた切断刃９とで構成する。【選択図】図４
0003175579.tif 000002
【実用新案登録請求の範囲】
【請求項１】
ロールペーパーを投入口より投入して内部に収納することができる、壁面に取付けるケース体と、このケース体に形成された内部に収納されたロールペーパーの先端部を外部へ引き出す引き出口と、この引き出口側の外側面の前記ケース体あるいは該引き出口の端部のケース体に背面に滑り材が位置するように取付けられ、所定量引き出されたロールペーパーを切断するために、下方あるいは上方へ回動させた場合に、該ロールペーパーの回転を阻止する摩擦材と、この摩擦材でロールペーパーの回転を阻止した状態で引き出されたロールペーパーを切断できるように、前記ケース体に取付けられた切断刃とからなることを特徴とするロールペーパーホルダー。
【請求項２】
ケース体は両側よりロールペーパーを収納することができ、かつ前方部位に収納されたロールペーパーの先端部を外部へ引き出す引き出口が形成された筒状のものが使用されていることを特徴とする請求項１記載のロールペーパーホルダー。
【考案の詳細な説明】
【技術分野】
【０００１】
本考案は主に片手でトイレのペーパーホルダー内に収納されているロールペーパーよりペーパーを適当な長さまで引き出し切断して使用したあと、次に使用する人がペーパー片を掴みやすいようにする事ができるロールペーパーホルダーに関するものである。
【背景技術】
【０００２】
従来、トイレのロールペーパーホルダーは、ロールペーパーをペーパーホルダー内に収納しておき、使用するときは上部のふたを開けその下のペーパー片を掴み必要量取り出し、ふたを押さえふたの先端に取り付けてある切断刃でペーパーを切り取っていた。
上記の方法だと両手が必要なため、片手の不自由な人でも使用しやすいように、ふたに重りをつけるなどして、片手でも使用する方法が考えられているが、病院や公衆トイレなど不特定多数の人が使用する所では、ペーパー片を取り出すたびに、ペーパーホルダー(ふた)に触らなければならず不衛生であった。
【０００３】
上記の問題を解決する方法として特許文献１と特許文献２が公示されている。
然しながら特許文献１の方法だと、ロールペーパーの回転を止める摩擦材と切断刃が同一でサンドペーパーを使用しているため、切断された残りのペーパー片の切り口が均一でなく、見た目にあまり良い印象を与えない。
【０００４】
又、特許文献２の方法は箱状のペーパーホルダーの前面上方にペーパー取出し口を設け、取出し口上端に摩擦材を取り付けペーパーホルダー前面下部に切断刃を設けた方法であるが、この方法だと、ペーパーホルダー内のロールペーパーの残量が多いときはペーパー取出し口よりペーパーはスムーズに取り出すことができるが、ペーパーの残量が少なくなったり、ロールペーパーを逆回転で収納した時は、ペーパーを引き出す際にペーパーホルダー内で取り出したペーパーを下側に引いたような状態になり、ペーパー片が取出し口上端に取り付けられている摩擦材に接触してしまい、取り出しにくいとともに無理に取り出すとペーパーが途中で切れてしまう恐れがある。
【先行技術文献】
【特許文献】
【０００５】
【特許文献１】特開２０１０−８６７０１号公報
【特許文献２】実開平５−５１１９２号公報
【考案の概要】
【考案が解決しようとする課題】
【０００６】
本考案は以上のような従来の欠点に鑑み、芯ありや芯なしのロールペーパーをケース体内に簡単に収納することができるとともに、ケース体内に収納したロールペーパーの先端部を楽に引き出し、所定の引き出し部位で簡単に切断することができ、かつ切断端部を摩擦材部位より離すことができ、次に使用する時のロールペーパーの端部を容易につかむことができて、楽に使用することができるロールペーパーホルダーを提供することを目的としている。
【０００７】
本考案の前記ならびにそのほかの目的と新規な特徴は次の説明を添付図面と照らし合わせて読むと、より完全に明らかになるであろう。
ただし、図面はもっぱら解説のためのものであって、本考案の技術的範囲を限定するものではない。
【課題を解決するための手段】
【０００８】
上記目的を達成するために、本考案はロールペーパーを投入口より投入して内部に収納することができる、壁面に取付けるケース体と、このケース体に形成された内部に収納されたロールペーパーの先端部を外部へ引き出す引き出口と、この引き出口側の外側面の前記ケース体あるいは該引き出口の端部のケース体に背面に滑り材が位置するように取付けられ、所定量引き出されたロールペーパーを切断するために、下方あるいは上方へ回動させた場合に、該ロールペーパーの回転を阻止する摩擦材と、この摩擦材でロールペーパーの回転を阻止した状態で引き出されたロールペーパーを切断できるように、前記ケース体に取付けられた切断刃とでロールペーパーホルダーを構成している。
【考案の効果】
【０００９】
以上の説明から明らかなように、本考案にあっては次に列挙する効果が得られる。
（１）請求項１により、ケース体内に芯ありや芯なしのロールペーパーを収納して使用することができる。
したがって、ロールペーパーの種類を選ばずに使用できる。
（２）前記（１）により、ロールペーパーの使用時に引き出口より出ているペーパー片を掴み、摩擦材に接触することなく所定量、スムーズに引き出すことができるとともに、引き出されたロールペーパーを切断する時に、引き出されたロールペーパーの後端部を摩擦材に当接させ、切断刃で切断することにより、ケース体内に収納されたロールペーパーは回転することなく、楽に切断することができる。              
（３）前記（１）によって、引き出されたロールペーパーが切断刃で切断されると、ロールペーパーの切断端部は摩擦材より突出した部位で切断することができる。
したがって、次に使用する場合に、ロールペーパーの先端部を容易につかむことができ、楽に使用することができる。
（４）前記（１）により、構造が簡単で、容易に製造することができる。
（５）請求項２も前記（１）〜（４）と同様な効果が得られる。
【図面の簡単な説明】
【００１０】
【図１】本考案を実施するための第１の形態の正面図。
【図２】本考案を実施するための第１の形態の側面図。
【図３】図１の３−３線に沿う断面図。
【図４】本考案を実施するための第１の形態のロールペーパー切断時の説明図。
【図５】本考案を実施するための第１の形態を次に使用する場合の説明図。
【図６】本考案を実施するための第２の形態の正面図。
【図７】本考案を実施するための第２の形態の側面図。
【図８】図６の８−８線に沿う断面図。
【図９】本考案を実施するための第３の形態の正面図。
【図１０】本考案を実施するための第３の形態の側面図。
【図１１】図９の１１−１１線に沿う断面図。
【図１２】本考案を実施するための第４の形態の正面図。
【図１３】本考案を実施するための第４の形態の側面図。
【図１４】本考案を実施するための第４の形態のロールペーパー切断時の説明図。
【図１５】本考案を実施するための第５の形態の正面図。
【図１６】本考案を実施するための第５の形態の側面図。
【図１７】図１５の１７−１７線に沿う断面図。
【考案を実施するための形態】
【００１１】
以下、図面に示す本考案を実施するための形態により、本考案を詳細に説明する。
【００１２】
図１ないし図５に示す本考案を実施するための第１の形態において、１は芯ありや芯なしのロールペーパー２を収納して使用することができる本考案のロールペーパーホルダーで、このロールペーパーホルダー１はロールペーパー２を上部の投入口３より投入して内部に収納することができる、壁面４に複数本のビス５で固定されるケース体６と、このケース体６に形成された内部に収納されたロールペーパー２の先端部を外部へ引き出す引き出口７と、この引き出口７の近傍の外側面の前記ケース体６に取付けられた所定量引き出されたロールペーパー２を切断する場合に、該ロールペーパー２の回転を阻止するゴム、合成樹脂材、サンドペーパー、ヤスリ等の摩擦材８と、この摩擦材８でロールペーパー２の回転を阻止した状態で引き出されたロールペーパー２を切断できるように、該摩擦材８より離れた部位の前記ケース体６の下部位置に先端部が摩擦材８の取付け位置と同じか、あるいは前方へ突出するように取付けられた切断刃９とで構成されている。
【００１３】
前記ケース体６は上部に投入口３が形成された円盤状の両側壁１０、１０を有する筒状のケース体本体１１と、このケース体本体１１の投入口３を、前記引き出口７を除く部位を開閉可能に覆う、該ケース体本体１１の後方上部に枢支ピン１２、１２で枢支された開閉蓋１３と、前記ケース体本体１１の背面板１４に形成された壁面４に複数本のビス５で固定するための複数個のビス挿入孔１５、１５とで構成されている。
【００１４】
前記摩擦材８は約１５ｍｍ程の帯状で、前記ケース体本体１１の投入口３の端部に上端部が位置するように取付けられている。
【００１５】
前記切断刃９は前記ケース体６のケース体本体１１の底面に固定された先端部が前方へ突出する切断刃支持板１６と、この切断刃支持板１６の先端部に取付けられたノコ歯状の切断刃本体１７とで構成されている。
【００１６】
上記構成のロールペーパーホルダー１はケース体６の開閉蓋１３を開放し、内部にロールペーパー２を投入し、該ロールペーパー２の先端部を引き出口７より突出させ、開閉蓋１３を閉じる。
【００１７】
この状態で、ロールペーパー２の先端部をつかんで引張り、使用する所定量を出し、引っ張り出されたロールペーパー２の後端部を、図４に示すように摩擦材８に当接させ、引き出したロールペーパー２を切断刃９の切断刃本体１７によって切断する。
【００１８】
この時、引き出されたロールペーパー２の後端部は摩擦材８に当接しているため、ケース体６内のロールペーパー２は回転したりすることなく切断される。
【００１９】
切断刃９で切断されたロールペーパー２は摩擦材８と切断刃本体１７とが離れているため、次に使用する場合にはその間に位置するロールペーパー２の端部をつかんでケース体６内よりロールペーパー２を引き出して、前述と同様に切断して使用できる。    
[考案を実施するための異なる形態]
次に、図６ないし図１７に示す本考案を実施するための異なる形態につき説明する。なお、これらの本考案を実施するための異なる形態の説明に当って、前記本考案を実施するための第１の形態と同一構成部分には同一符号を付して重複する説明を省略する。
【００２０】
図６ないし図８に示す本考案を実施するための第２の形態において、前記本考案を実施するための第１の形態と主に異なる点は、長方形状の背面板１４Ａと、この背面板１４Ａの両端部より前方へ突出するように形成された先端部円弧状の側壁１０Ａ、１０Ａと、この側壁１０Ａ、１０Ａの底面および上部投入口３および引き出口７を除く前方を覆うカバー壁１８と、前記側壁１０Ａ、１０Ａの上部の上部投入口３を開閉可能に覆う開閉蓋１３Ａとからなるケース体６Ａを用いるとともに、該ケース体６Ａのカバー壁１８の前方下部寄りの部位に切断刃本体１７を接着剤やビスで固定した点で、このように構成したロールペーパーホルダー１Ａにしても、前記本考案を実施するための第１の形態と同様な作用効果が得られる。
【００２１】
図９ないし図１１に示す本考案を実施するための第３の形態において、前記本考案を実施するための第１の形態と主に異なる点は、上下部にビス挿入孔１５、１５、１５が形成された背面板１４Ｂと、この背面板１４Ｂ上部寄りの部位に後端部が固定された支持台１９と、この支持台１９の底面および前記背面板１４Ｂのほぼ中央部に固定された引き出口７が形成されたロールペーパー２を内部に収納することができるＣ字状のケース体本体１１Ａと、このケース体本体１１Ａの両端下部内壁面１１ａ、１１ａに固定された、該ケース体本体１１Ａ内に収納されたロールペーパー２の下部側面と当接して、脱落を防止する脱落防止片２０、２０とからなるケース体６Ｂを用いるとともに、該ケース体６Ｂの背面板１４Ｂの下部寄りの部位に後端部が固定し、ほぼ中央部を前記ケース体本体１１Ａの下部中央部と固定した切断刃支持板１６Ａを用いた切断刃９Ａを用いた点で、このようなケース体６Ｂや切断刃９Ａを用いて構成したロールペーパーホルダー１Ｂにしても前記本考案を実施するための第１の形態と同様な作用効果が得られる。
【００２２】
なお、本考案を実施するための形態では切断刃９Ａを前記第２の形態と同様にケース体に直接取付けてもよい。
【００２３】
図１２ないし図１４に示す本考案を実施するための第４の形態において、前記本考案を実施するための第１の形態と主に異なる点は、前方下部に引き出口７が形成されたケース体本体１１Ｂを用いたケース体６Ｃと、該ケース体６Ｃの背面板１４Ｂの上部寄りの部位に後端部を固定し、ほぼ中央部を前記ケース体本体１１Ｂの上部中央部と固定した切断刃支持板１６Ｂを用いた切断刃９Ｂを用いた点で、このようなケース体６Ｃと切断刃９Ｂを用いて構成したロールペーパーホルダー１Ｃにしても、ロールペーパー２の先端部を下方へ引き出し、上方へ持ち上げ、摩擦材８で固定して切断刃９Ｂで切断でき、前記本考案を実施するための第１の形態と同様な作用効果が得られるとともに、切断刃９Ｂで切断された端部のロールペーパー２は切断刃９Ｂより垂れ下がり、次に使用する場合に、容易にロールペーパー２の端部をつかむことができる。
【００２４】
図１５ないし図１７に示す本考案を実施するための第５の形態において、前記本考案を実施するための第３の形態と主に異なる点は、引き出口７の下端部に嵌合固定あるいは固定され、背面がアルミ材等の滑り材となる取付金具２１を用いて摩擦材８を取付けた点で、このように構成したロールペーパーホルダー１Ｄにしても、ロールペーパー２の先端部を前方に引き出し、下方へ回動させて、切断刃９Ａに押し当てると、摩擦材８にロールペーパー２が当節して固定され、切断刃９Ａで切断できるので、前記本考案を実施するための第１の形態と同様な作用効果が得られる。
【００２５】
なお、前記本考案を実施するための各形態ではケース体にトイレットペーパーを収納して使用するものについて説明したが、本考案はこれに限らず、キッチンペーパーをケース体内に収納して使用できるようにしてもよい。
【００２６】
また、前記本考案を実施するための形態では摩擦材８と切断刃９、９Ａ、９Ｂとの間に隙間のあるものについて説明したが、本考案はこれに限らず、引き出口７と摩擦材８との間に隙間がある場合には、摩擦材８と切断刃９、９Ａ、９Ｂとの間に隙間がない状態で切断刃９、９Ａ、９Ｂを設置しても同様な作用効果が得られる。
【産業上の利用可能性】
【００２７】
本考案はロールペーパーを所定位置で切断しながら使用することができるロールペーパーホルダーを製造する産業で利用される。
【符号の説明】
【００２８】
１、１Ａ、１Ｂ、１Ｃ、１Ｄ：ロールペーパーホルダー、
２：ロールペーパー、    ３：投入口、
４：壁面、          ５：ビス、  
６、６Ａ、６Ｂ、６Ｃ：ケース体、
７：引き出口、      ８：摩擦材、
９、９Ａ、９Ｂ：切断刃、    １０、１０Ａ：両側壁、
１１、１１Ａ、１１Ｂ：ケース体本体、
１２：枢支ピン、      １３、１３Ａ：開閉蓋、
１４、１４Ａ、１４Ｂ：背面板、  １５：ビス挿入孔、
１６、１６Ａ、１６Ｂ：切断刃支持板、
１７：切断刃本体、      １８：カバー壁、
１９：支持台、      ２０：脱落防止片、
２１：取付金具。  
【図１】
0003175579.tif 000003
【図２】
0003175579.tif 000004
【図３】
0003175579.tif 000005
【図４】
0003175579.tif 000006
【図５】
0003175579.tif 000007
【図６】
0003175579.tif 000008
【図７】
0003175579.tif 000009
【図８】
0003175579.tif 000010
【図９】
0003175579.tif 000011
【図１０】
0003175579.tif 000012
【図１１】
0003175579.tif 000013
【図１２】
0003175579.tif 000014
【図１３】
0003175579.tif 000015
【図１４】
0003175579.tif 000016
【図１５】
0003175579.tif 000017
【図１６】
0003175579.tif 000018
【図１７】
0003175579.tif 000019